(57)【特許請求の範囲】
【請求項１】
端末デバイスにより実行される無線通信方法であって、
ネットワークデバイスにより送信された第１の信号またはチャネルを検出することと、
前記第１の信号又はチャネルの検出結果、及び前記ネットワークデバイスが前記第１の信号又はチャネルに対する検出結果と第２の信号又はチャネルの検出の要否との関係に対する構成に基づいて、前記第２の信号又はチャネルの検出を行うかどうかを確定することとを含み、
前記方法は、さらに、
前記ネットワークデバイスにより送信された構成情報を受信することを含み、
前記構成情報は、前記第１の信号又はチャネルの検出結果と前記第２の信号又はチャネルの検出の要否との関係を構成するために用いられ、
前記構成情報は、システムメッセージ、無線リソース制御ＲＲＣ専用シグナリング、ＰＤＣＣＨシグナリング又はメディアアクセス制御ＭＡＣ制御手段ＣＥに搬送される
ことを特徴とする無線通信方法。
【請求項２】
前記第２の信号又はチャネルの検出を行うかどうかを確定することは、
前記第１の信号又はチャネルの検出結果、及び前記ネットワークデバイスが前記第１の信号又はチャネルの検出結果と前記第２の信号又はチャネルの検出の要否との関係に対する構成に基づいて、特定の検出時間帯又は時点に前記第２の信号又はチャネルの検出を行うかどうかを確定することを含む
ことを特徴とする請求項１に記載の無線通信方法。
【請求項３】
前記特定の検出時間帯または時点は、周期的な検出時間帯または時点のうちの少なくとも１つの検出時間帯または時点である
ことを特徴とする請求項２に記載の無線通信方法。
【請求項４】
前記特定の検出時間帯又は時点は、不連続送信ＤＲＸ周期におけるアクティブ時間帯であり、又は、前記特定の検出時点は、周期的なページング時点のうちの少なくとも１つである
ことを特徴とする請求項３に記載の無線通信方法。
【請求項５】
前記第２の信号又はチャネルの検出を行うかどうかを確定することは、
現在ＤＲＸ周期の１つ前のＤＲＸ周期内のスリープ時間帯内の特定の時刻又は時間帯に検出された前記第１の信号又はチャネルの検出結果、及び前記ネットワークデバイスが前記第１の信号又はチャネルに対する検出結果と第２の信号又はチャネルの検出の要否との関係に対する構成に基づいて、現在ＤＲＸ周期内のアクティブ時間帯において第２の信号又はチャネルの検出を行うかどうかを確定すること、又は、
現在ページング時刻の前の特定の時刻又は時間帯に検出された前記第１の信号又はチャネルの検出結果、及び前記ネットワークデバイスが前記第１の信号又はチャネルに対する検出結果と第２の信号又はチャネルの検出の要否との関係に対する構成に基づいて、現在ページング時刻に第２の信号又はチャネルの検出を行うかどうかを確定することを含む
ことを特徴とする請求項４に記載の無線通信方法。
【請求項６】
前記第２の信号又はチャネルは、物理下り制御チャネルＰＤＣＣＨ又はページングシグナリングである
ことを特徴とする請求項１〜５のいずれか１項に記載の無線通信方法。
【請求項７】
前記ネットワークデバイスが前記第１の信号又はチャネルの検出結果と前記第２の信号又はチャネルの検出の要否との関係に対する構成は、第１の構成を含み、
前記第１の構成は、前記第１の信号又はチャネルが検出されない場合、前記第２の信号又はチャネルの検出を行うように指示する
ことを特徴とする請求項１〜６のいずれか１項に記載の無線通信方法。
【請求項８】
前記第１の構成は、さらに、
前記第１の信号又はチャネルが検出され、前記第１の信号又はチャネルの第１のフィールドに第１の値が含まれる場合、前記第２の信号又はチャネルの検出を行うように指示し、又は、
前記第１の信号又はチャネルが検出され、前記第１の信号又はチャネルの前記第１のフィールドに第２の値が含まれる場合、前記第２の信号又はチャネルの検出を行わないように指示する
ことを特徴とする請求項７に記載の無線通信方法。
【請求項９】
前記ネットワークデバイスが前記第１の信号又はチャネルに対する検出結果と第２の信号又はチャネルの検出の要否との関係の構成は、第２の構成を含み、
前記第２の構成は、前記第１の信号又はチャネルが検出されない場合、前記第２の信号又はチャネルの検出を行わないように指示する
ことを特徴とする請求項１〜６のいずれか１項に記載の無線通信方法。
【請求項１０】
前記第２の構成は、さらに、
前記第１の信号又はチャネルが検出され、前記第１の信号又はチャネルの第２のフィールドに第３の値が含まれる場合、前記第２の信号又はチャネルの検出を行うように指示し、又は、
前記第１の信号又はチャネルが検出され、前記第１の信号又はチャネルの第２のフィールドに第４の値が含まれる場合、前記第２の信号又はチャネルの検出を行わないように指示する
ことを特徴とする請求項９に記載の無線通信方法。
【請求項１１】
前記方法は、さらに、
前記第１の信号又はチャネルが検出された場合、所定のルールに基づいて、前記第２の信号又はチャネルの検出を行うかどうかを確定することを含み、
前記所定のルールは、前記第１の信号又はチャネルの第２のフィールドに第５の値が含まれる場合、前記第２の信号又はチャネルの検出を行うように指示し、又は、前記第１の信号又はチャネルの第２のフィールドに第６の値が含まれる場合、前記第２の信号又はチャネルの検出を行わないように指示する
ことを特徴とする請求項１に記載の無線通信方法。
【請求項１２】
前記第１の信号又はチャネルは、特定の信号系列又は物理チャネルである
ことを特徴とする請求項１〜１１のいずれか１項に記載の無線通信方法。
【請求項１３】
ネットワークデバイスにより実行される無線通信方法であって、
構成情報を確定することと、
端末デバイスに前記構成情報を送信することとを含み、
前記構成情報は、端末デバイスが第１の信号又はチャネルの検出結果と第２の信号又はチャネルの検出の要否との関係に対する構成を示し、
前記構成情報は、前記第１の信号又はチャネルの検出結果と特定の検出時間帯又は
時点に前記第２の信号又はチャネルの検出の要否との関係に対する配置を示し、
前記構成情報は、システム情報、無線リソース制御ＲＲＣ専用シグナリング、ＰＤ
ＣＣＨシグナリング又はメディアアクセス制御ＭＡＣ制御手段ＣＥに搬送される
ことを特徴とする無線通信方法。
【請求項１４】
通信ユニット及び処理ユニットを含む端末デバイスであって、
前記通信ユニットは、ネットワークデバイスにより送信された第１の信号またはチャネルを検出するように構成され、
前記処理ユニットは、前記第１の信号又はチャネルの検出結果、及び前記ネットワークデバイスが前記第１の信号又はチャネルに対する検出結果と第２の信号又はチャネルの検出の要否との関係に対する構成に基づいて、前記第２の信号又はチャネルの検出を行うかどうかを確定するように構成され、
前記通信ユニットは、さらに、
前記ネットワークデバイスにより送信された構成情報を受信するように構成され、
前記構成情報は、前記第１の信号又はチャネルの検出結果と前記第２の信号又はチャネルの検出の要否との関係を構成するために用いられ
前記構成情報は、システム情報、無線リソース制御ＲＲＣ専用シグナリング、ＰＤＣＣＨシグナリング又はメディアアクセス制御ＭＡＣ制御手段ＣＥに搬送される
ことを特徴とする端末デバイス。
【請求項１５】
前記処理ユニットは、さらに、
前記第１の信号又はチャネルの検出結果、及び前記ネットワークデバイスが前記第１の信号又はチャネルの検出結果と前記第２の信号又はチャネルの検出の要否との関係に対する構成に基づいて、特定の検出時間帯又は時点に前記第２の信号又はチャネルの検出を行うかどうかを確定するように構成される
ことを特徴とする請求項１４に記載の端末デバイス。
【請求項１６】
前記特定の検出時間帯または時点は、周期的な検出時間帯または時点のうちの少なくとも１つの検出時間帯または時点である
ことを特徴とする請求項１５に記載の端末デバイス。
【請求項１７】
前記特定の検出時間帯又は時点は、不連続送信ＤＲＸ周期におけるアクティブ時間帯であり、又は、前記特定の検出時点は、周期的なページング時点のうちの少なくとも１つである
ことを特徴とする請求項１６に記載の端末デバイス。
【請求項１８】
前記処理ユニットは、さらに、
現在ＤＲＸ周期の１つ前のＤＲＸ周期内のスリープ時間帯内の特定の時刻又は時間帯に検出された前記第１の信号又はチャネルの検出結果、及び前記ネットワークデバイスが前記第１の信号又はチャネルに対する検出結果と第２の信号又はチャネルの検出の要否との関係に対する構成に基づいて、現在ＤＲＸ周期内のアクティブ時間帯において第２の信号又はチャネルの検出を行うかどうかを確定し、又は、
現在ページング時刻の前の特定の時刻又は時間帯に検出された前記第１の信号又はチャネルの検出結果、及び前記ネットワークデバイスが前記第１の信号又はチャネルに対する検出結果と第２の信号又はチャネルの検出の要否との関係に対する構成に基づいて、現在ページング時刻に第２の信号又はチャネルの検出を行うかどうかを確定するように構成される
ことを特徴とする請求項１７に記載の端末デバイス。
【請求項１９】
前記第２の信号又はチャネルは、物理下り制御チャネルＰＤＣＣＨ又はページングシグナリングである
ことを特徴とする請求項１４〜１８のいずれか１項に記載の端末デバイス。
【請求項２０】
前記ネットワークデバイスが前記第１の信号又はチャネルの検出結果と前記第２の信号又はチャネルの検出の要否との関係に対する構成は、第１の構成を含み、
前記第１の構成は、前記第１の信号又はチャネルが検出されない場合、前記第２の信号又はチャネルの検出を行うように指示する
ことを特徴とする請求項１４〜１９のいずれか１項に記載の端末デバイス。
【請求項２１】
前記第１の構成は、さらに、
前記第１の信号又はチャネルが検出され、前記第１の信号又はチャネルの第１のフィールドに第１の値が含まれる場合、前記第２の信号又はチャネルの検出を行うように指示し、又は、
前記第１の信号又はチャネルが検出され、前記第１の信号又はチャネルの前記第１のフィールドに第２の値が含まれる場合、前記第２の信号又はチャネルの検出を行わないように指示する
ことを特徴とする請求項２０に記載の端末デバイス。
【請求項２２】
前記ネットワークデバイスが前記第１の信号又はチャネルに対する検出結果と第２の信号又はチャネルの検出の要否との関係の構成は、第２の構成を含み、
前記第２の構成は、前記第１の信号又はチャネルが検出されない場合、前記第２の信号又はチャネルの検出を行わないように指示する
ことを特徴とする請求項１４〜２１のいずれか１項に記載の端末デバイス。
【請求項２３】
前記第２の構成は、さらに、
前記第１の信号又はチャネルが検出され、前記第１の信号又はチャネルの第２のフィールドに第３の値が含まれる場合、前記第２の信号又はチャネルの検出を行うように指示し、又は、
前記第１の信号又はチャネルが検出され、前記第１の信号又はチャネルの第２のフィールドに第４の値が含まれる場合、前記第２の信号又はチャネルの検出を行わないように指示する
ことを特徴とする請求項２２に記載の端末デバイス。
【請求項２４】
前記処理ユニットは、さらに、
前記通信ユニットが前記第１の信号又はチャネルを検出した場合、所定のルールに基づいて、前記第２の信号又はチャネルの検出を行うかどうかを確定するように構成され、
前記所定のルールは、前記第１の信号又はチャネルの第２のフィールドに第５の値が含まれる場合、前記第２の信号又はチャネルの検出を行うように指示し、又は、前記第１の信号又はチャネルの第２のフィールドに第６の値が含まれる場合、前記第２の信号又はチャネルの検出を行わないように指示する
ことを特徴とする請求項１４に記載の端末デバイス。
【請求項２５】
前記第１の信号又はチャネルは、特定の信号系列又は物理チャネルである
ことを特徴とする請求項１４〜２４のいずれか１項に記載の端末デバイス。
【請求項２６】
処理ユニット及び通信ユニットを含むネットワークデバイスであって、
前記処理ユニットは、構成情報を確定するように構成され、
前記通信ユニットは、端末デバイスに前記構成情報を送信するように構成され、
前記構成情報は、端末デバイスが第１の信号又はチャネルの検出結果と第２の信号又はチャネルの検出の要否とのの関係に対する構成を示し、
前記構成情報は、前記第１の信号又はチャネルの検出結果と特定の検出時間帯又は
時点に前記第２の信号又はチャネルの検出の要否との関係に対する配置を示し、
前記構成情報は、システム情報、無線リソース制御ＲＲＣ専用シグナリング、ＰＤ
ＣＣＨシグナリング又はメディアアクセス制御ＭＡＣ制御手段ＣＥに搬送される
ことを特徴とするネットワークデバイス。
【発明の詳細な説明】
【技術分野】
【０００１】
本願は通信分野に関し、具体的に、無線通信方法及びデバイスに関する。
【背景技術】
【０００２】
端末の電力節約の観点から、不連続受信( Ｄｉｓｃｏｎｔｉｎｕｏｕｓ Ｒｅｃｅｐｔｉｏｎ：ＤＲＸ )伝送メカニズムがロングタームエボリューション( Ｌｏｎｇ Ｔｅｒｍ Ｅｖｏｌｕｔｉｏｎ：ＬＴＥ )システムに導入される。ＤＲＸの基本メカニズムは、無線リソース制御( Ｒａｄｉｏ Ｒｅｓｏｕｒｃｅ Ｃｏｎｔｒｏｌ：ＲＲＣ )接続状態にある端末デバイスのための１つのＤＲＸ周期を設定することである。ＤＲＸ周期は、アクティブ期間と、ＰＤＣＣＨを検出するためのスリープ期間とを含む。しかしながら、アクティブ期間中にＰＤＣＣＨの検出が続けると、端末デバイスの電力が浪費される。
【０００３】
同様に、端末デバイスは、周期的なページング時刻でページングメッセージの検出を行うこともできるが、ページング時刻毎にページングメッセージの検出を行うと、同様、電力の浪費となる。
【０００４】
したがって、特定のチャネルまたは信号(例えば、ＰＤＣＣＨまたはページングメッセージ)について、検出が必要か否かをどのように判断するかは、解決すべき課題である。
【発明の概要】
【０００５】
本願の実施例は、特定のチャネルまたは信号の検出の要否を適切に判定することができる無線通信方法およびデバイスを提供する。
【０００６】
第１の形態は、無線通信方法を提供し、
ネットワークデバイスにより送信された第１の信号またはチャネルを検出することと、
前記第１の信号又はチャネルの検出結果、及び前記ネットワークデバイスが前記第１の信号又はチャネルに対する検出結果と第２の信号又はチャネルの検出の要否との関係に対する構成に基づいて、前記第２の信号又はチャネルの検出を行うかどうかを確定することとを含む。
【０００７】
第１の形態と結合し、第１の形態の実現可能な方式において、前記第２の信号又はチャネルの検出を行うかどうかを確定することは、
前記第１の信号又はチャネルの検出結果、及び前記ネットワークデバイスが前記第１の信号又はチャネルの検出結果と前記第２の信号又はチャネルの検出の要否との関係に対する構成に基づいて、特定の検出時間帯又は時点に前記第２の信号又はチャネルの検出を行うかどうかを確定することを含む。
【０００８】
第１の形態の上記の任意の実現方式と結合し、第１の形態の実現可能な方式において、前記特定の検出時間帯または時点は、周期的な検出時間帯または時点のうちの少なくとも１つの検出時間帯または時点である。
【０００９】
第１の形態の上記の任意の実現方式と結合し、第１の形態の実現可能な方式において、前記特定の検出時間帯又は時点は、不連続送信ＤＲＸ周期におけるアクティブ時間帯であり、又は、前記特定の検出時点は、周期的なページング時点のうちの少なくとも１つである。
【００１０】
第１の形態の上記の任意の実現方式と結合し、第１の形態の実現可能な方式において、前記第２の信号又はチャネルの検出を行うかどうかを確定することは、
現在のＤＲＸ周期の１つ前のＤＲＸ周期内のスリープ時間帯内の特定の時刻又は時間帯に検出された前記第１の信号又はチャネルの検出結果、及び前記ネットワークデバイスが前記第１の信号又はチャネルに対する検出結果と第２の信号又はチャネルの検出の要否との関係に対する構成に基づいて、現在ＤＲＸ周期内のアクティブ時間帯において第２の信号又はチャネルの検出を行うかどうかを確定すること、又は、
現在ページング時刻の前の特定の時刻又は時間帯に検出された前記第１の信号又はチャネルの検出結果、及び前記ネットワークデバイスが前記第１の信号又はチャネルに対する検出結果と第２の信号又はチャネルの検出の要否との関係に対する構成に基づいて、現在ページング時刻に第２の信号又はチャネルの検出を行うかどうかを確定することを含む。
【００１１】
第１の形態の上記の任意の実現方式と結合し、第１の形態の実現可能な方式において、前記第２の信号又はチャネルは、物理下り制御チャネルＰＤＣＣＨ又はページングシグナリングである。
【００１２】
第１の形態の上記の任意の実現方式と結合し、第１の形態の実現可能な方式において、前記方法は、さらに、
前記ネットワークデバイスにより送信された構成情報を受信することを含み、前記構成情報は、前記第１の信号又はチャネルの検出結果と前記第２の信号又はチャネルの検出の要否との関係を構成するために用いられる。
【００１３】
第１の形態の上記の任意の実現方式と結合し、第１の形態の実現可能な方式において、前記構成情報は、システム情報、無線リソース制御ＲＲＣ専用シグナリング、ＰＤＣＣＨシグナリング又はメディアアクセス制御ＭＡＣ制御手段ＣＥに搬送される。
【００１４】
第１の形態の上記の任意の実現方式と結合し、第１の形態の実現可能な方式において、前記構成情報は、前記第１の信号又はチャネルに搬送され、前記構成情報の所在の前記第１の信号又はチャネルの後の少なくとも１つの前記第１の信号又はチャネルの検出結果と前記第２の信号又はチャネルの検出の要否との関係を構成する。
【００１５】
第１の形態の上記の任意の実現方式と結合し、第１の形態の実現可能な方式において、前記ネットワークデバイスが前記第１の信号又はチャネルの検出結果と前記第２の信号又はチャネルの検出の要否との関係に対する構成は、第１の構成を含む。
【００１６】
第１の形態の上記の任意の実現方式と結合し、第１の形態の実現可能な方式において、前記第１の構成は、前記第１の信号又はチャネルが検出されない場合、前記第２の信号又はチャネルの検出を行うように指示する。
【００１７】
第１の形態の上記の任意の実現方式と結合し、第１の形態の実現可能な方式において、前記第１の構成は、前記第１の信号又はチャネルが検出された場合、前記第２の信号又はチャネルの検出を行わないように指示する。
【００１８】
第１の形態の上記の任意の実現方式と結合し、第１の形態の実現可能な方式において、前記第１の構成は、
前記第１の信号又はチャネルが検出され、前記第１の信号又はチャネルの第１のフィールドに第１の値が含まれる場合、前記第２の信号又はチャネルの検出を行うように指示し、又は、
前記第１の信号又はチャネルが検出され、前記第１の信号又はチャネルの前記第１のフィールドに第２の値が含まれる場合、前記第２の信号又はチャネルの検出を行わないように指示する。
【００１９】
第１の形態の上記の任意の実現方式と結合し、第１の形態の実現可能な方式において、前記ネットワークデバイスが前記第１の信号又はチャネルに対する検出結果と第２の信号又はチャネルの検出の要否との関係の構成は、第２の構成を含む。
【００２０】
第１の形態の上記の任意の実現方式と結合し、第１の形態の実現可能な方式において、前記第２の構成は、前記第１の信号又はチャネルが検出されない場合、前記第２の信号又はチャネルの検出を行わないように指示する。
【００２１】
第１の形態の上記の任意の実現方式と結合し、第１の形態の実現可能な方式において、前記第２の構成は、
前記第１の信号又はチャネルが検出された場合、前記第２の信号又はチャネルの検出を行うように指示する。
【００２２】
第１の形態の上記の任意の実現方式と結合し、第１の形態の実現可能な方式において、前記第２の構成は、
前記第１の信号又はチャネルが検出され、前記第１の信号又はチャネルの第２のフィールドに第３の値が含まれる場合、前記第２の信号又はチャネルの検出を行うように指示し、又は、
前記第１の信号又はチャネルが検出され、前記第１の信号又はチャネルの第２のフィールドに第４の値が含まれる場合、前記第２の信号又はチャネルの検出を行わないように指示する。
【００２３】
第１の形態の上記の任意の実現方式と結合し、第１の形態の実現可能な方式において、前記方法は、さらに、
前記第１の信号又はチャネルが検出された場合、所定のルールに基づいて、前記第２の信号又はチャネルの検出を行うかどうかを確定することを含み、ここで、前記所定のルールは、前記第１の信号又はチャネルの第２のフィールドに第５の値が含まれる場合、前記第２の信号又はチャネルの検出を行うように指示し、又は、前記第１の信号又はチャネルの第２のフィールドに第６の値が含まれる場合、前記第２の信号又はチャネルの検出を行わないように指示する
第１の形態の上記の任意の実現方式と結合し、第１の形態の実現可能な方式において、前記第１の信号又はチャネルは、特定の信号系列又は物理チャネルである。
【００２４】
第２の形態は、無線通信方法を提供し、
構成情報を確定することと、
端末デバイスに前記構成情報を送信することとを含み、
前記構成情報は、端末デバイスが第１の信号又はチャネルの検出結果と第２の信号又はチャネルの検出の要否との関係に対する構成を示す。
【００２５】
第２の形態と結合し、第２の形態の実現可能な方式において、前記方法は、さらに、
前記端末デバイスに第１の信号又はチャネルを送信することを含む。
【００２６】
第２の形態の上記の任意の実現可能な方式と結合し、第２の形態の実現可能な方式において、前記端末デバイスに第１の信号又はチャネルを送信することは、
前記端末デバイスのサービス状況及び／又はネットワーク状況に基づいて、前記構成情報を確定することを含む。
【００２７】
第２の形態の上記の任意の実現可能な方式と結合し、第２の形態の実現可能な方式において、前記構成情報は、前記第１の信号又はチャネルの検出結果と特定の検出時間帯又は時点に前記第２の信号又はチャネルの検出の要否との関係に対する配置を示す。
【００２８】
第２の形態の上記の任意の実現可能な方式と結合し、第２の形態の実現可能な方式において、前記特定の検出時間帯または時点は、周期的な検出時間帯または時点のうちの少なくとも１つの検出時間帯または時点である。
【００２９】
第２の形態の上記の任意の実現可能な方式と結合し、第２の形態の実現可能な方式において、前記特定の検出時間帯又は時点は、不連続送信ＤＲＸ周期におけるアクティブ時間帯であり、又は、前記特定の検出時点は、周期的なページング時点のうちの少なくとも１つである。
【００３０】
第２の形態の上記の任意の実現可能な方式と結合し、第２の形態の実現可能な方式において、前記第２の信号又はチャネルは、物理下り制御チャネルＰＤＣＣＨ又はページングシグナリングである。
【００３１】
第２の形態の上記の任意の実現可能な方式と結合し、第２の形態の実現可能な方式において、前記構成情報は、システム情報、無線リソース制御ＲＲＣ専用シグナリング、ＰＤＣＣＨシグナリング又はメディアアクセス制御ＭＡＣ制御手段ＣＥに搬送される。
【００３２】
第２の形態の上記の任意の実現可能な方式と結合し、第２の形態の実現可能な方式において、前記構成情報は、前記第１の信号又はチャネルに搬送され、前記構成情報の所在の前記第１の信号又はチャネルの後の少なくとも１つの前記第１の信号又はチャネルの検出結果と前記第２の信号又はチャネルの検出の要否との関係を構成する。
【００３３】
第２の形態の上記の任意の実現可能な方式と結合し、第２の形態の実現可能な方式において、前記第１の信号又はチャネルの検出結果と前記第２の信号又はチャネルの検出の要否との関係に対する配置は、第１の構成を含む。
【００３４】
第２の形態の上記の任意の実現可能な方式と結合し、第２の形態の実現可能な方式において、
前記第１の構成は、前記第１の信号又はチャネルが検出されない場合、前記端末デバイスが前記第２の信号又はチャネルの検出を行うように指示する。
【００３５】
第２の形態の上記の任意の実現可能な方式と結合し、第２の形態の実現可能な方式において、前記第１の構成は、
前記第１の信号又はチャネルが検出された場合、前記端末デバイスが前記第２の信号又はチャネルの検出を行わないように指示する。
【００３６】
第２の形態の上記の任意の実現可能な方式と結合し、第２の形態の実現可能な方式において、前記第１の構成は、
前記第１の信号又はチャネルが検出され、前記第１の信号又はチャネルの第１のフィールドに第１の値が含まれる場合、前記端末デバイスが前記第２の信号又はチャネルの検出を行うように指示し、又は、
前記第１の信号又はチャネルが検出され、前記第１の信号又はチャネルの前記第１のフィールドに第２の値が含まれる場合、前記端末デバイスが前記第２の信号又はチャネルの検出を行わないように指示する。
【００３７】
第２の形態の上記の任意の実現可能な方式と結合し、第２の形態の実現可能な方式において、前記ネットワークデバイスが前記第１の信号又はチャネルに対する検出結果と第２の信号又はチャネルの検出の要否との関係の構成は、第２の構成を含む。
【００３８】
第２の形態の上記の任意の実現可能な方式と結合し、第２の形態の実現可能な方式において、前記第２の構成は、前記第１の信号又はチャネルが検出されない場合、前記端末デバイスが前記第２の信号又はチャネルの検出を行わないように指示する。
【００３９】
第２の形態の上記の任意の実現可能な方式と結合し、第２の形態の実現可能な方式において、前記第２の構成は、
前記第１の信号又はチャネルが検出された場合、前記端末デバイスが前記第２の信号又はチャネルの検出を行うように指示する。
【００４０】
第２の形態の上記の任意の実現可能な方式と結合し、第２の形態の実現可能な方式において、前記第２の構成は、
前記第１の信号又はチャネルが検出され、前記第１の信号又はチャネルの第２のフィールドに第３の値が含まれる場合、前記端末デバイスが前記第２の信号又はチャネルの検出を行うように指示し、又は、
前記第１の信号又はチャネルが検出され、前記第１の信号又はチャネルの第２のフィールドに第４の値が含まれる場合、前記端末デバイスが前記第２の信号又はチャネルの検出を行わないように指示する。
【００４１】
第２の形態の上記の任意の実現可能な方式と結合し、第２の形態の実現可能な方式において、前記第１の信号又はチャネルは、特定の信号系列又は物理チャネルである。
【００４２】
第３の形態は、上記の第１の形態または第１の形態の任意の可能な方法を実行するための端末デバイスを提供する。具体的には、前記端末デバイスは、上記の第１の形態または第１の形態の任意の可能な実施例における方法を実行するための機能モジュールを含む。
【００４３】
第４の形態は、上記の第２の形態または第２の形態の任意の可能な方法を実行するためのネットワークデバイスを提供する。具体的には、ネットワークデバイスは、上記の第２の形態または第２の形態の任意の可能な実施例における方法を実行するための機能モジュールを含む。
【００４４】
第５の形態は、プロセッサと、メモリと、送受信機とを含む端末デバイスを提供する。プロセッサ、メモリ、および送受信機は、内部接続経路を介して互いに通信し、制御信号および/またはデータ信号を通信して、ネットワークデバイスに、上記の第１の形態または第１の形態の可能な実施例のいずれかにおける方法を実行させる。
【００４５】
第６の形態は、プロセッサと、メモリと、送受信機とを含むネットワークデバイスが提供する。プロセッサ、メモリ、および送受信機は、内部接続経路を介して互いに通信し、制御信号および/またはデータ信号を通信して、ネットワークデバイスに、上記の第２の形態または第２の形態の可能な実装のいずれかにおける方法を実行させる。
【００４６】
第７の形態は、上記の第１の形態または第１の形態の任意の可能な方法を実行するための命令を含むコンピュータプログラムを記憶するためのコンピュータ可読媒体を提供する。
【００４７】
第８の形態は、上述の第２の形態または第２の形態の任意の可能な方法を実行するための命令を含むコンピュータプログラムを記憶するためのコンピュータ可読媒体を提供する。
【図面の簡単な説明】
【００４８】
本開示の上記および他の特徴およびメリットは、添付の図面を参照して詳細に説明する例示的な実施例により、より明らかになる。なお、以下の記載における図面はただ本発明の一部の実施例に過ぎず、当業者の場合、創造的な労働を付与しない前提で、これらの図面によって他の図面を得ることができる。
【図１】本願の実施例における無線通信システムの模式図である。
【図２】本願の実施例における無線通信方法のフローチャートである。
【図３】本願の実施例における無線通信方法のフローチャートである。
【図４】本願の実施例におけるＤＲＸ周期の模式図である。
【図５】本願の実施例における端末デバイスのブロック図である。
【図６】本願の実施例におけるネットワークデバイスのブロック図である。
【図７】本願の実施例におけるシステムチップのブロック図である。
【図８】本願の実施例における通信デバイスのブロック図である。
【発明を実施するための形態】
【００４９】
以下、本技術の実施の形態について図面を参照して説明するが、本技術の実施の形態は、この実施の形態に限定されるものではなく、本技術の要旨を逸脱しない範囲において種々の変更が可能である。本発明の範囲から逸脱することなく、本発明の実施例に基づいて当業者等によりなされた他の実施例はすべて本発明の範囲に含まれる。
【００５０】
本願の実施例の技術的解決策は、例えば、グローバル移動通信( Ｇｌｏｂａｌ Ｓｙｓｔｅｍ ｏｆ Ｍｏｂｉｌｅ Ｃｏｍｍｕｎｉｃａｔｉｏｎ：ＧＳＭ )システム、符号分割多元接続( Ｃｏｄｅ Ｄｉｖｉｓｉｏｎ Ｍｕｌｔｉｐｌｅ Ａｃｃｅｓｓ：ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ：ＷＣＤＭＡ )システム、汎用パケット無線サービス( Ｇｅｎｅｒａｌ Ｐａｃｋｅｔ Ｒａｄｉｏ Ｓｅｒｖｉｃｅ：ＧＰＲＳ )、ロングタームエボリューション( Ｌｏｎｇ Ｔｅｒｍ Ｅｖｏｌｕｔｉｏｎ：ＬＴＥ )システム、ＬＴＥ周波数分割複信( Ｆｒｅｑｕｅｎｃｙ Ｄｉｖｉｓｉｏｎ Ｄｕｐｌｅｘ：ＦＤＤ )システム、ＬＴＥ時分割複信( Ｔｉｍｅ Ｄｉｖｉｓｉｏｎ Ｄｕｐｌｅｘ：ＴＤＤ )、汎用移動通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ：ＵＭＴＳ )、又はグローバル相互接続マイクロ波アクセス( Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ：ＷｉＭＡＸ )通信システム、及び将来生じ得る５Ｇ（Ｎｅｗ Ｒａｄｉｏ：ＮＲ）システムに適用され得ることが理解されるべきである。
【００５１】
図１は、本願の実施例が適用される無線通信システム１００を示す。無線通信システム１００は、ネットワークデバイス１１０を含み得る。ネットワークデバイス１００は、端末デバイスと通信するデバイスであってもよい。ネットワークデバイス１００は、特定の地理的エリアに通信カバレッジを提供し、カバレッジエリア内に配置されたＵＥなどの端末デバイスと通信し得る。任意選択で、ネットワークデバイス１００は、ＧＳＭシステムまたはＣＤＭＡシステムにおける基地局( Ｂａｓｅ Ｔｒａｎｓｃｅｉｖｅｒ Ｓｔａｔｉｏｎ：ＢＴＳ )、ＷＣＤＭＡシステムにおける基地局( ＮｏｄｅＢ：ＮＢ )、ＬＴＥシステムにおける発展型基地局( Ｅｖｏｌｕｔｉｏｎａｌ Ｎｏｄｅ Ｂ：ｅＮＢ、またはｅＮｏｄｅＢ )、またはクラウド無線アクセスネットワーク( Ｃｌｏｕｄ Ｒａｄｉｏ Ａｃｃｅｓｓ Ｎｅｔｗｏｒｋ：ＣＲＡＮ )における無線コントローラであってもよく、または中継局、アクセスポイント、車載装置、ウェアラブル装置、将来の５Ｇネットワークにおけるネットワーク側装置、または将来の公衆地上モバイルネットワーク( Ｐｕｂｌｉｃ Ｌａｎｄ Ｍｏｂｉｌｅ Ｎｅｔｗｏｒｋ：ＰＬＭＮ )におけるネットワークデバイスなどであってもよい。
【００５２】
当該無線通信システム１００は、ネットワークデバイス１１０のカバレージ内に配置された少なくとも１つの端末デバイス１２０をさらに含む。端末デバイス１２０は、移動型であってもよいし、固定型であってもよい。任意選択で、端末デバイス１２０は、アクセス端末、ユーザ機器( Ｕｓｅｒ Ｅｑｕｉｐｍｅｎｔ：ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ：ＳＩＰ )電話、ワイヤレスローカルループ( Ｗｉｒｅｌｅｓｓ Ｌｏｃａｌ Ｌｏｏｐ：ＷＬＬ )局、パーソナルデジタル処理( Ｐｅｒｓｏｎａｌ Ｄｉｇｉｔａｌ Ａｓｓｉｓｔａｎｔ：ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。
【００５３】
任意選択で、端末デバイス１２０間の端末直接接続( Ｄｅｖｉｃｅ ｔｏ Ｄｅｖｉｃｅ：Ｄ２Ｄ )通信が行われてもよい。
【００５４】
任意選択で、５Ｇシステム又はネットワークは、新たな無線( Ｎｅｗ Ｒａｄｉｏ：ＮＲ )システム又はネットワークと呼ばれることもある。
【００５５】
図１は、１つのネットワークデバイス及び２つの端末デバイスを例示的に示し、任意選択で、無線通信システム１００は、複数のネットワークデバイスを含み、各ネットワークデバイスのカバレージ内に他の数の端末デバイスを含んでもよく、本願の実施例は、これに限定されない。
【００５６】
選択可能で、無線通信システム１００は、ネットワークコントローラ、モビリティ管理エンティティなどの他のネットワークエンティティをさらに含むことができ、本願の実施例はこれに限定されない。
【００５７】
本願の明細書において、「システム」および「ネットワーク」という用語は、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、明細書の「/」の文字は、前後の関連オブジェクトが一種の「または」の関係であることを一般的に示す。
【００５８】
図２は、本発明の実施例における無線通信方法２００の概略的なフローチャートである。方法２００は、任意選択で、図１に示されるシステムに適用され得るが、これに限定されない。図２に示されるように、方法２００は、以下のステップの少なくとも一部を含む。
【００５９】
２１０において、端末デバイスネットワークデバイスにより送信された第１の信号またはチャネルを検出する。
【００６０】
２２０において、当該第１の信号又はチャネルの検出結果、及び当該ネットワークデバイスが当該第１の信号又はチャネルの検出結果と第２の信号又はチャネルの検出の要否との関係に対する構成に基づいて、端末デバイスが当該第２の信号又はチャネルの検出を行うかどうかを確定する。
【００６１】
選択可能で、端末デバイスが当該ネットワークデバイスからの構成情報を受信し、当該構成情報は、当該第１の信号又はチャネルの検出結果と当該第２の信号又はチャネルの検出の要否との関係を構成するために用いられる。
【００６２】
選択可能で、当該第１の信号又はチャネルは、特定の信号系列、又は物理チャネルである。
【００６３】
選択可能で、当該第２の信号又はチャネルは、物理下り制御チャネル（Ｐｈｙｓｉｃａｌ Ｄｏｗｎｌｉｎｋ Ｃｏｎｔｒｏｌ Ｃｈａｎｎｅｌ：ＰＤＣＣＨ）又はページングシグナリングである。
【００６４】
図３は本願の実施例における無線通信方法３００のフローチャートである。当該方法３００は、任意選択で、図１に示されるシステムに適用され得るが、これに限定されない。図３に示されるように、方法３００は、以下の少なくとも一部を含む。
【００６５】
３１０において、ネットワークデバイスが構成情報を確定し、ここで、当該構成情報は、端末デバイスが第１の信号又はチャネルの検出結果と第２の信号又はチャネルの検出との関係に対する構成を示す。
【００６６】
選択可能で、当該第１の信号又はチャネルは、特定の信号系列、又は物理チャネルである。
【００６７】
選択可能で、当該第２の信号又はチャネルは、物理下り制御チャネル（Ｐｈｙｓｉｃａｌ Ｄｏｗｎｌｉｎｋ Ｃｏｎｔｒｏｌ Ｃｈａｎｎｅｌ：ＰＤＣＣＨ）又はページングシグナリングである。
【００６８】
３２０において、ネットワークデバイスが当該端末デバイスに当該構成情報を送信する。
【００６９】
選択可能で、ネットワークデバイスが当該端末デバイスに第１の信号又はチャネルを送信する。
【００７０】
そして、本願の実施例において、ネットワークデバイスは、端末デバイスの当該第１の信号又はチャネルの検出結果と端末デバイスが第２の信号又はチャネルの検出の要否との関係を構成することで、端末デバイスが第１の信号又はチャネルの検出結果、及びネットワークデバイスの構成に基づいて、第２のチャネル又は信号を検出するかどうかを決定し、端末デバイスは、第２の信号またはチャネルが存在し得る任意の時点で検出する必要がなく、端末デバイスの電力を節約することができ、さらに、ネットワークデバイスは、現在のネットワーク状態または端末デバイスのサービス状況に応じて構成することができ、実際の状況に応じて構成することができ、端末デバイスの電力を節約しつつ、端末デバイスまたはネットワークのサービス要求をできるだけ満たす。
【００７１】
選択可能で、当該構成情報は、当該第１の信号又はチャネルの検出結果と特定の検出時間帯又は時点に当該第２の信号又はチャネルの検出の要否との関係に対する構成を示す。
【００７２】
選択可能で、端末デバイスは、当該第１の信号又はチャネルの検出結果、及び当該ネットワークデバイスが当該第１の信号又はチャネルの検出結果と当該第２の信号又はチャネルの検出の要否との関係に対する構成に基づいて、特定の検出時間帯又は時点に当該第２の信号又はチャネルの検出を行うかどうかを決定する。
【００７３】
選択可能で、当該特定の検出時間帯又は時点は、周期的な検出時間帯又は時点のうちの少なくとも１つの検出時間帯又は時点である。
【００７４】
選択可能で、当該特定の検出時間帯又は時点は、ＤＲＸ周期のアクティブ時間帯である。これに対応し、当該第２の信号又はチャネルは、物理下り制御チャネルＰＤＣＣＨである。ここで、本願の実施例に記載される構成は、ＤＲＸ構成であってもよい。
【００７５】
選択可能で、現在のＤＲＸ周期の１つ前のＤＲＸ周期のスリープ時間帯内の特定の時刻又は時間帯に検出された当該第１の信号又はチャネルの検出結果、及び当該ネットワークデバイスが当該第１の信号又はチャネルの検出結果と第２の信号又はチャネルの検出との関係に対する構成に基づいて、端末デバイスが現在ＤＲＸ周期内のアクティブ時間帯において第２の信号又はチャネルの検出を行うかどうかを確定する。
【００７６】
選択可能で、現在ページング時刻の前の特定の時刻又は時間帯に検出された前記第１の信号又はチャネルの検出結果、及び前記ネットワークデバイスが前記第１の信号又はチャネルに対する検出結果と第２の信号又はチャネルの検出の要否との関係に対する構成に基づいて、現在ページング時刻に第２の信号又はチャネルの検出を行うかどうかを確定する。
【００７７】
ここで、現在ページング時刻の前の特定の時刻又は時間帯は、当該ページング時刻から予定時間の時刻又は時間帯であってもよい。又は、予め設定された時刻又は時間帯であってもよい。
【００７８】
選択可能で、当該特定の検出時点は、周期的なページング時刻の少なくとも１つのページング時刻である。これに対応し、当該第２の信号又はチャネルは、ページングシグナリングであってもよい。
【００７９】
選択可能で、当該構成情報は、系統消息に搬送される。例えば、システム情報ブロック（Ｓｙｓｔｅｍ Ｉｎｆｏｒｍａｔｉｏｎ Ｂｌｏｃｋ：ＳＩＢ）に搬送され、例えば、ｐａｇｉｎｇメッセージに搬送されるＤＲＸ構成情報は、ＳＩＢに搬送される。
【００８０】
選択可能で、当該構成情報は、無線リソース制御（Ｒａｄｉｏ Ｒｅｓｏｕｒｃｅ Ｃｏｎｔｒｏｌ：ＲＲＣ）専用シグナリングに搬送される。例えば、ＲＲＣ接続状態でのＤＲＸ構成は、ＲＲＣ専用シグナリングを利用して構成されてもよい。
【００８１】
選択可能で、当該構成情報は、ＰＤＣＣＨシグナリングに搬送される。
【００８２】
選択可能で、当該構成情報は、メディアアクセス制御（Ｍｅｄｉａ Ａｃｃｅｓｓ Ｃｏｎｔｒｏｌ：ＭＡＣ）控制ユニット（Ｃｏｎｔｒｏｌ Ｅｌｅｍｅｎｔ：ＣＥ）に搬送される。ここで、ＰＤＣＣＨ又はＭＡＣ  ＣＥを利用してＤＲＸ構成を動的に構成し、ＲＲＣ接続状態でＤＲＸ構成に適用される。
【００８３】
選択可能で、当該構成情報が当該第１の信号又はチャネルに搬送される場合、当該構成情報の所在の当該第１の信号又はチャネルの後の少なくとも１つの当該第１の信号又はチャネルの検出結果と当該第２の信号又はチャネルの検出の要否との関係の構成を構成する。
【００８４】
具体的に、ＤＲＸ構成の場合、ネットワークデバイスは、次のＤＲＸ周期内のアクティブ期間のＰＤＣＣＨを検出するかどうかを示すために使用される第１の信号又はチャネルを、現在のＤＲＸ周期内のスリープ期間に送信し得ると同時に、第１の信号又はチャネルに構成情報を搬送し得るとともに、当該構成情報は、第１の信号又はチャネルの後の他の信号又はチャネルの構成を示すために使用され得る。
【００８５】
本願を理解するために、以下、当該ネットワークデバイスが当該第１の信号又はチャネルの検出結果と当該第２の信号又はチャネルの検出との関係に対する構成は、第１の構成又は第２の構成を例として説明する。
【００８６】
選択可能で、当該第１の構成は、当該第１の信号又はチャネルが検出されない場合、当該第２の信号又はチャネルの検出を行うように指示する。
【００８７】
選択可能で、当該第２の構成は、当該第１の信号又はチャネルが検出されない場合、当該第２の信号又はチャネルの検出を行わないように指示する。
【００８８】
ここで、ネットワークデバイスは、端末デバイスのサービス状態又は現在のネットワーク状態に基づいて第１の構成の構成又は第２の構成の構成を行ってもよい。
【００８９】
本願をより明確に理解するために、ＤＲＸ構成を例として以下に説明される。
【００９０】
図４から分かるように、時間領域上で、時間は連続ＤＲＸ周期に分割される。１つのＤＲＸ周期は、アクティブ期間( Ｏｎ Ｄｕｒａｔｉｏｎ )及びスリーブ期間( Ｏｐｐｏｒｔｕｎｉｔｙ ｆｏｒ ＤＲＸ )を含みうる。
【００９１】
ここで、端末デバイスは、「Ｏｎ Ｄｕｒａｔｉｏｎ」時間内にＰＤＣＣＨを傍受して受信することができる。「Ｏｐｐｏｒｔｕｎｉｔｙ ｆｏｒ ＤＲＸ」時間内に、端末デバイスは、電力消費を低減するためにＰＤＣＣＨを受信しない場合がある。
【００９２】
しかし、端末デバイスは、周期的に発生するｏｎ ｄｕｒａｔｉｏｎの機会でしかスケジューリングできず、端末デバイスのサービス負荷が低い場合でも少ないＤＲＸ周期でスケジューリングされる。
【００９３】
ＤＲＸ機構を採用するページングメッセージの場合、端末デバイスがページングメッセージを受信する機会は少ない。
【００９４】
したがって、端末デバイスは、ＤＲＸ機構を構成した後、依然として多いｏｎ ｄｕｒａｔｉｏｎ以内のＰＤＣＣＨ検出は、データスケジューリングを検出しない。
【００９５】
上記の問題に対して、以下の方式（１）を採用する。ネットワークデバイスが、端末デバイスをＤＲＸ ｏｎ ｄｕｒａｔｉｏｎでスケジューリングする必要があると判定した場合、ＤＲＸ周期の前にウェイクアップ信号を送信して端末デバイスをウェイクアップさせ、そうでない場合、ウェイクアップ信号を端末デバイスに送信しない。端末デバイスは、ＤＲＸのｏｎ ｄｕｒａｔｉｏｎにおいてＰＤＣＣＨ検出及びデータ受信を、ウェイクアップ信号を検出した後にのみ行い、そうでなければＰＤＣＣＨ検出を行わない。ウェイクアップ信号の方式は、より一層の端末の省電力を可能にするが、端末デバイスがウェイクアップする予定であるか否かはウェイクアップ信号の検出信頼性に依存し、端末デバイスがネットワークデバイスによって送信されたウェイクアップ信号を正常に検出しない場合、ＤＲＸ周期内のデータ伝送を見失い、ＤＲＸベースでデータサービス伝送の遅延をさらに増大させるという一連の悪影響をもたらす。一方、端末デバイスのウェイクアップはウェイクアップ信号の送信に依存しなければならず、ウェイクアップ信号の送信自体が一定のリソースのオーバーヘッドをもたらし、サービス負荷が相対的に高い場合にはリソースの緊張が激しくなり、ウェイクアップ信号と他の伝送との衝突の問題が生じる。
【００９６】
上記の問題に対して、以下の方式（２）を採用する。ネットワークデバイスが、端末デバイスをＤＲＸ ｏｎ ｄｕｒａｔｉｏｎにスケジューリングする必要があると判断し、ウェイクアップ信号を端末デバイスに送信せず、逆に、ネットワークデバイスが、端末デバイスをＤＲＸ ｏｎ ｄｕｒａｔｉｏｎにスケジューリングする必要がないと判断した場合、端末デバイスがｏｎ ｄｕｒａｔｉｏｎにおいてＰＤＣＣＨを受信する必要がないことを示すために、ＤＲＸサイクルの前に端末デバイスにスリープ信号を送信する。この方式では，スリープ信号の信頼性が端末デバイスに与える影響は少なく、たまたまスリープ信号が正しく検出されなくても，端末デバイスのデータ伝送には影響を与えず、端末デバイスがＰＤＣＣＨのブラインドディテクションを行うだけである。同様に、システム負荷が高い場合、ネットワークデバイスは、スリープ信号によるリソースのオーバーヘッドや他の伝送との衝突の問題を回避するために、スリープ信号の一部の送信をキャンセルすることができ、これにより、ネットワークの実現におけるオーバーヘッドと端末の消費電力との間のトレードオフを実現することのより高い実現の柔軟性が得られる。しかしながら、この方法の欠点は、端末デバイスのサービス負荷が低い場合、端末デバイスは、わずかなＤＲＸ周期内でのみデータスケジューリングを有することがあり、より大きな端末電力節約を達成するためには、各ＤＲＸサイクルの前にスリープ信号を送信することに依存し、システムリソースのオーバーヘッドを逆に増大させることである。
【００９７】
したがって、上記(１)及び(２)の２つの方式の問題点に対して、ネットワークデバイスは、後続して送信される指示信号(すなわち、第１の信号又はチャネル)を、例えば、第１の構成として、又は、第２の構成として、当然ながら、他の構成として構成することができる。
【００９８】
以下では、理解を容易にするために、第１の構成および第２の構成をそれぞれ詳細に説明する。
【００９９】
第１の構成
選択可能で、当該第１の構成は、当該第１の信号又はチャネルが検出されない場合、当該第２の信号又はチャネルの検出を行うよう指示する。
【０１００】
選択可能で、当該第１の構成は、当該第１の信号又はチャネルが検出された場合、当該第２の信号又はチャネルの検出を行わないように指示する。
【０１０１】
例えば、端末デバイスの現在のサービス負荷が高い場合、ネットワークデバイスによる端末デバイスの構成は、第１の構成を含み、すなわち、第１の信号又はチャネルが検出されない場合に第２の信号又はチャネルの検出を行い、負荷が高いため、第２の信号又はチャネルが検出される確率が高く、第１の信号又はチャネルは、第２の信号又はチャネルが検出されないことを示すように構成され、これにより、第１の信号又はチャネルが送信される確率を低下させ、リソースを節約することができる。
【０１０２】
選択可能で、当該第１の構成は、
当該第１の信号又はチャネルが検出され、当該第１の信号又はチャネルの第１のフィールドに第１の値含まれる場合、当該第２の信号又はチャネルの検出を行うように指示し、又は、
当該第１の信号又はチャネルが検出され、当該第１の信号又はチャネルの当該第１のフィールドに第２の値が含まれる場合、当該第２の信号又はチャネルの検出を行わないように指示する。
【０１０３】
選択可能で、当該第１の値が０、第２の値が１である。又は、当該第１の値が１、第２の値が０である。
【０１０４】
選択可能で、ネットワークデバイスは、第１の信号又はチャネルの第１のフィールドの意味を構成しなくてもよく、当該第１のフィールドの意味は、プロトコルにより規定されたものである。例えば、第１のフィールドが０である場合、端末デバイスが第２の信号又はチャネル検出を行い、第１のフィールドが１である場合、端末デバイスが第２の信号又はチャネルの検出を行わないと規定される。又は、第１のフィールドが１である場合、端末デバイスが第２の信号又はチャネル検出を行い、第１のフィールドが０である場合、端末デバイスが第２の信号又はチャネルの検出を行わないと規定される。
【０１０５】
第２の構成
選択可能で、当該第２の構成は、当該第１の信号又はチャネルが検出されない場合、当該第２の信号又はチャネルの検出を行わないように指示する。
【０１０６】
選択可能で、当該第２の構成は、
当該第１の信号又はチャネルが検出された場合、当該第２の信号又はチャネルの検出を行うように指示する。
【０１０７】
例えば、端末デバイスの現在のサービス負荷が低い場合、ネットワークデバイスによる端末デバイスの構成は、第２の構成を含み、すなわち、第２の信号又はチャネルが検出されない場合、第２の信号又はチャネルの検出を行わなく、端末デバイスは、負荷が低いため、第２の信号又はチャネルを検出する確率が低く、第１の信号又はチャネルを、第２の信号又はチャネルを検出するトリガとして構成することができ、これにより、第１の信号又はチャネルを送信する確率を低下させ、リソースを節約することができる。
【０１０８】
選択可能で、当該第２の構成は、
当該第１の信号又はチャネルが検出され、当該第１の信号又はチャネルの第２のフィールドに第３の値が含まれる場合、当該第２の信号又はチャネルの検出を行わないように指示し、又は、
当該第１の信号又はチャネルが検出され、当該第１の信号又はチャネルの第２のフィールドに第４の値が含まれる場合、当該第２の信号又はチャネルの検出を行わないように指示する。
【０１０９】
選択可能で、当該第３の値が０、第４の値が１である。又は、当該第３の値が１、第４の値が０である。
【０１１０】
選択可能で、ネットワークデバイスは、第１の信号又はチャネルの第１のフィールドの意味を構成しなくてもよく、当該第１のフィールドの意味は、プロトコルにより規定される。例えば、第１のフィールドが０である場合、端末デバイスが第２の信号又はチャネル検出を行わなく、第１のフィールドが１である場合、端末デバイスが第２の信号又はチャネルの検出を行うと規定される。又は、第１のフィールドが１である場合、端末デバイスが第２の信号又はチャネル検出を行わなく、第１のフィールドが０である場合、端末デバイスが第２の信号又はチャネルの検出を行うと規定される。
【０１１１】
以上のように、本願は、端末がＤＲＸ ｏｎ ｄｕｒａｔｉｏｎ前の第１の信号/チャネルを検出し、第１の信号/チャネルの機能に関するネットワーク側の構成シグナリングを受信し、端末が、第１の信号/チャネルと対応する構成シグナリングとを用いて、ＤＲＸ ｏｎ ｄｕｒａｔｉｏｎ期間中に端末がウェイクアップし、ダウンデータ送信を受信するかどうかを判定する、強化されたＤＲＸ送信方法を提示する。ネットワークデバイスは、ＤＲＸ ｏｎ ｄｕｒａｔｉｏｎの間に端末装置がデータを有するか否か、及びネットワークの全体的な負荷状態に応じて、第１の信号/チャネルの送信及びそれに応じて構成シグナリングを設定することができる。これにより、端末装置の受信電力を最適化することができる一方で、第１信号のリソースオーバーヘッドを節約することができる。
【０１１２】
図５は本願の実施例における端末デバイス４００のブロック図である。図５に示すように、当該端末デバイス４００は、通信ユニット４１０及び処理ユニット４２０を含み、
前記通信ユニット４１０は、ネットワークデバイスにより送信された第１の信号またはチャネルを検出するように構成され、
前記処理ユニット４２０は、前記第１の信号又はチャネルの検出結果、及び前記ネットワークデバイスが前記第１の信号又はチャネルに対する検出結果と第２の信号又はチャネルの検出の要否との関係に対する構成に基づいて、前記第２の信号又はチャネルの検出を行うかどうかを確定するように構成される。
【０１１３】
選択可能で、前記処理ユニット４２０は、さらに、
前記第１の信号又はチャネルの検出結果、及び前記ネットワークデバイスが前記第１の信号又はチャネルの検出結果と前記第２の信号又はチャネルの検出の要否との関係に対する構成に基づいて、特定の検出時間帯又は時点に前記第２の信号又はチャネルの検出を行うかどうかを確定するように構成される。
【０１１４】
選択可能で、前記特定の検出時間帯または時点は、周期的な検出時間帯または時点のうちの少なくとも１つの検出時間帯または時点である。
【０１１５】
選択可能で、前記特定の検出時間帯又は時点は、不連続送信ＤＲＸ周期におけるアクティブ時間帯であり、又は、前記特定の検出時点は、周期的なページング時点のうちの少なくとも１つである。
【０１１６】
選択可能で、前記処理ユニットは、さらに、
現在ＤＲＸ周期の１つ前のＤＲＸ周期内のスリープ時間帯内の特定の時刻又は時間帯に検出された前記第１の信号又はチャネルの検出結果、及び前記ネットワークデバイスが前記第１の信号又はチャネルに対する検出結果と第２の信号又はチャネルの検出の要否との関係に対する構成に基づいて、現在ＤＲＸ周期内のアクティブ時間帯において第２の信号又はチャネルの検出を行うかどうかを確定し、又は、現在ページング時刻の前の特定の時刻又は時間帯に検出された前記第１の信号又はチャネルの検出結果、及び前記ネットワークデバイスが前記第１の信号又はチャネルに対する検出結果と第２の信号又はチャネルの検出の要否との関係に対する構成に基づいて、現在ページング時刻に第２の信号又はチャネルの検出を行うかどうかを確定するように構成される。
【０１１７】
選択可能で、前記第２の信号又はチャネルは、物理下り制御チャネルＰＤＣＣＨ又はページングシグナリングである。
【０１１８】
選択可能で、前記通信ユニット４２０は、さらに、
前記ネットワークデバイスにより送信された構成情報を受信するように構成され、前記構成情報は、前記第１の信号又はチャネルの検出結果と前記第２の信号又はチャネルの検出の要否との関係を構成するために用いられる。
【０１１９】
選択可能で、前記構成情報は、システム情報、無線リソース制御ＲＲＣ専用シグナリング、ＰＤＣＣＨシグナリング又はメディアアクセス制御ＭＡＣ制御手段ＣＥに搬送される。
【０１２０】
選択可能で、前記構成情報は、前記第１の信号又はチャネルに搬送され、前記構成情報の所在の前記第１の信号又はチャネルの後の少なくとも１つの前記第１の信号又はチャネルの検出結果と前記第２の信号又はチャネルの検出の要否との関係を構成する。
【０１２１】
選択可能で、前記ネットワークデバイスが前記第１の信号又はチャネルの検出結果と前記第２の信号又はチャネルの検出の要否との関係に対する構成は、第１の構成を含み、ここで、
前記第１の構成は、前記第１の信号又はチャネルが検出されない場合、前記第２の信号又はチャネルの検出を行うように指示する。
【０１２２】
選択可能で、前記第１の構成は、さらに、
前記第１の信号又はチャネルが検出された場合、前記第２の信号又はチャネルの検出を行わないように指示する。
【０１２３】
選択可能で、前記第１の構成は、さらに、
前記第１の信号又はチャネルが検出され、前記第１の信号又はチャネルの第１のフィールドに第１の値が含まれる場合、前記第２の信号又はチャネルの検出を行うように指示し、又は、
前記第１の信号又はチャネルが検出され、前記第１の信号又はチャネルの前記第１のフィールドに第２の値が含まれる場合、前記第２の信号又はチャネルの検出を行わないように指示する。
【０１２４】
選択可能で、前記ネットワークデバイスが前記第１の信号又はチャネルに対する検出結果と第２の信号又はチャネルの検出の要否との関係の構成は、第２の構成を含み、ここで、
前記第２の構成は、前記第１の信号又はチャネルが検出されない場合、前記第２の信号又はチャネルの検出を行わないように指示する。
【０１２５】
選択可能で、前記第２の構成は、さらに、
前記第１の信号又はチャネルが検出された場合、前記第２の信号又はチャネルの検出を行うように指示する。
【０１２６】
選択可能で、前記第２の構成は、さらに、
前記第１の信号又はチャネルが検出され、前記第１の信号又はチャネルの第２のフィールドに第３の値が含まれる場合、前記第２の信号又はチャネルの検出を行うように指示し、又は、
前記第１の信号又はチャネルが検出され、前記第１の信号又はチャネルの第２のフィールドに第４の値が含まれる場合、前記第２の信号又はチャネルの検出を行わないように指示する。
【０１２７】
選択可能で、前記処理ユニット４２０は、さらに、
前記通信ユニットが前記第１の信号又はチャネルを検出した場合、所定のルールに基づいて、前記第２の信号又はチャネルの検出を行うかどうかを確定するように構成され、ここで、前記所定のルールは、前記第１の信号又はチャネルの第２のフィールドに第５の値が含まれる場合、前記第２の信号又はチャネルの検出を行うように指示し、又は、前記第１の信号又はチャネルの第２のフィールドに第６の値が含まれる場合、前記第２の信号又はチャネルの検出を行わないように指示する
選択可能で、前記第１の信号又はチャネルは、特定の信号系列又は物理チャネルである。
【０１２８】
当然のことながら、端末デバイス４００は、方法の実施例において端末デバイスによって実行される対応する動作を実行することができるが、簡潔のためにここでは説明を省略する。
【０１２９】
図６本願の実施例におけるネットワークデバイス５００のブロック図である。図６に示すように、当該ネットワークデバイス５００は、通信ユニット５１０及び処理ユニット５２０を含み、
前記処理ユニット５２０は、構成情報を確定するように構成され、ここで、前記構成情報は、端末デバイスが第１の信号又はチャネルの検出結果と第２の信号又はチャネルの検出の要否との関係に対する構成を示す。
【０１３０】
前記通信ユニット５１０は、前記端末デバイスに前記構成情報を送信するように構成される。
【０１３１】
選択可能で、前記通信ユニット５１０は、さらに、
前記端末デバイスに第１の信号又はチャネルを送信するように構成される。
【０１３２】
選択可能で、処理ユニット５２０は、さらに、
前記端末デバイスのサービス状況及び／又はネットワーク状況に基づいて、前記構成情報を確定するように構成される。
【０１３３】
選択可能で、前記構成情報は、前記第１の信号又はチャネルの検出結果と特定の検出時間帯又は時点に前記第２の信号又はチャネルの検出の要否との関係に対する配置を示す。
【０１３４】
選択可能で、前記特定の検出時間帯または時点は、周期的な検出時間帯または時点のうちの少なくとも１つの検出時間帯または時点である。
【０１３５】
選択可能で、前記特定の検出時間帯又は時点は、不連続送信ＤＲＸ周期におけるアクティブ時間帯であり、又は、前記特定の検出時点は、周期的なページング時点のうちの少なくとも１つである。
【０１３６】
選択可能で、前記第２の信号又はチャネルは、物理下り制御チャネルＰＤＣＣＨ又はページングシグナリングである。
【０１３７】
選択可能で、前記構成情報は、システム情報、無線リソース制御ＲＲＣ専用シグナリング、ＰＤＣＣＨシグナリング又はメディアアクセス制御ＭＡＣ制御手段ＣＥに搬送される。
【０１３８】
選択可能で、前記構成情報は、前記第１の信号又はチャネルに搬送され、前記構成情報の所在の前記第１の信号又はチャネルの後の少なくとも１つの前記第１の信号又はチャネルの検出結果と前記第２の信号又はチャネルの検出の要否との関係を構成する。
【０１３９】
選択可能で、前記第１の信号又はチャネルの検出結果と前記第２の信号又はチャネルの検出の要否との関係に対する配置は、第１の構成を含み、ここで、
前記第１の構成は、前記第１の信号又はチャネルが検出されない場合、前記端末デバイスが前記第２の信号又はチャネルの検出を行うように指示する。
【０１４０】
選択可能で、前記第１の構成は、さらに、
前記第１の信号又はチャネルが検出された場合、前記端末デバイスが前記第２の信号又はチャネルの検出を行わないように指示する。
【０１４１】
選択可能で、前記第１の構成は、さらに、
前記第１の信号又はチャネルが検出され、前記第１の信号又はチャネルの第１のフィールドに第１の値が含まれる場合、前記端末デバイスが前記第２の信号又はチャネルの検出を行うように指示し、又は、
前記第１の信号又はチャネルが検出され、前記第１の信号又はチャネルの前記第１のフィールドに第２の値が含まれる場合、前記端末デバイスが前記第２の信号又はチャネルの検出を行わないように指示する。
【０１４２】
選択可能で、前記ネットワークデバイスが前記第１の信号又はチャネルに対する検出結果と第２の信号又はチャネルの検出の要否との関係の構成は、第２の構成を含み、ここで、
前記第２の構成は、前記第１の信号又はチャネルが検出されない場合、前記端末デバイスが前記第２の信号又はチャネルの検出を行わないように指示する。
【０１４３】
選択可能で、前記第２の構成は、さらに、
前記第１の信号又はチャネルが検出された場合、前記端末デバイスが前記第２の信号又はチャネルの検出を行うように指示する。
【０１４４】
選択可能で、前記第２の構成は、さらに、
前記第１の信号又はチャネルが検出され、前記第１の信号又はチャネルの第２のフィールドに第３の値が含まれる場合、前記端末デバイスが前記第２の信号又はチャネルの検出を行うように指示し、又は、
前記第１の信号又はチャネルが検出され、前記第１の信号又はチャネルの第２のフィールドに第４の値が含まれる場合、前記端末デバイスが前記第２の信号又はチャネルの検出を行わないように指示する。
【０１４５】
選択可能で、前記第１の信号又はチャネルは、特定の信号系列又は物理チャネルである。
【０１４６】
当然のことながら、ネットワークデバイス５００は、方法の実施例において端末デバイスによって実行される対応する動作を実行することができるが、簡潔のためにここでは説明を省略する。
【０１４７】
図７は、本実施例のシステムチップ６００の概略構成図である。図７のシステムオンチップ６００は、入力インターフェース６０１、出力インターフェース６０２、メモリ５０４内のコードを実行するプロセッサ６０３、及びメモリ６０４を含み、それらの間を内部通信接続線によって接続することができる。
【０１４８】
任意選択で、コードが実行されると、プロセッサ６０３は、方法の実施例においてネットワークデバイスによって実行される方法を実施する。簡潔にするために、ここでは説明を省略する。
【０１４９】
任意選択で、コードが実行されると、プロセッサ６０３は、方法の実施例において端末デバイスによって実行される方法を実施する。簡潔にするために、ここでは説明を省略する。
【０１５０】
図８は、本発明の実施例による通信デバイス７００の概略ブロック図である。図８に示すように、通信デバイス７００は、プロセッサ７１０と、メモリ７２０とを有する。メモリ７２０は、プログラムコードを記憶し、プロセッサ７１０は、メモリ７２０に記憶されたプログラムコードを実行することができる。
【０１５１】
選択可能で、図８に示すように、通信デバイス７００は、プロセッサ７１０が外部と通信するように制御することができる送受信機７３０を含んでもよい。
【０１５２】
選択可能で、プロセッサ７１０は、メモリ７２０に記憶されたプログラムコードを呼び出して、方法の実施例におけるネットワークデバイスの対応する動作を実行してもよく、簡潔のためにここでは詳しい説明を省略する。
【０１５３】
選択可能で、プロセッサ７１０は、メモリ７２０に記憶されたプログラムコードを呼び出して、方法の実施例における端末デバイスの対応する動作を実行してもよく、簡潔のためにここでは詳しい説明を省略する。
【０１５４】
本願の実施例のプロセッサは、信号の処理能力を有する集積回路チップであり得ることが理解される。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ：ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ：ＡＳＩＣ )、既存のプログラマブルゲートアレイ( Ｆｉｅｌｄ Ｐｒｏｇｒａｍｍａｂｌｅ Ｇａｔｅ Ａｒｒａｙ：ＦＰＧＡ )又は他のプログラマブル論理デバイス、ディスクリートゲート又はトランジスタロジック、ディスクリートハードウェアコンポーネントであってもよい。本出願の実施例に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１５５】
本発明の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ：ＲＯＭ )、プログラマブルリードオンリーメモリ( Ｐｒｏｇｒａｍｍａｂｌｅ ＲＯＭ：ＰＲＯＭ )、消去可能プログラマブルリードオンリーメモリ( Ｅｒａｓａｂｌｅ ＰＲＯＭ：ＥＰＲＯＭ )、電気的消去可能プログラマブルリードオンリーメモリ( Ｅｌｅｃｔｒｉｃａｌｌｙ ＥＰＲＯＭ：ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ：ＲＡＭ )であってよい。限定ではなく例として、ＲＡＭは、スタティックランダムアクセスメモリ( Ｓｔａｔｉｃ ＲＡＭ：ＳＲＡＭ )、ダイナミックランダムアクセスメモリ( Ｄｙｎａｍｉｃ ＲＡＭ：ＤＲＡＭ )、シンクロナスダイナミックランダムアクセスメモリ( Ｓｙｎｃｈｒｏｎｏｕｓ ＤＲＡＭ：ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ：ＤＤＲ ＳＤＲＡＭ )、エンハンスメント型シンクロナスダイナミックランダムアクセスメモリ( Ｅｎｈａｎｃｅｄ ＳＤＲＡＭ：ＥＳＤＲＡＭ )、シンクロナス接続ダイナミックランダムアクセスメモリ( Ｓｙｎｃｈｌｉｎｋ ＤＲＡＭ：ＳＬＤＲＡＭ )、及びダイレクトメモリバスランダムアクセスメモリ( Ｄｉｒｅｃｔ Ｒａｍｂｕｓ ＲＡＭ：ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。
【０１５６】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１５７】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１５８】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１５９】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１６０】
また、本発明の各実施例における各機能部は、１つの処理部に集積されてもよいし、各部は、物理的に別個に存在してもよいし、２つ以上の部が１つの部に集積されてもよい。
【０１６１】
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータデバイス(パーソナルコンピュータ、サーバ、またはネットワークデバイスなどであり得る)に本発明の様々な実施例に記載された方法のステップの全てまたは一部を実行させるための複数の命令を含む１つの記憶媒体に記憶されたソフトウェア製品の形態で具現化され得る。なお、前記記憶媒体としては、Ｕ-ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０１６２】
以上、本発明の具体的な実施例を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲によって定義されるべきである。
【図１】
0006957644.tif 000002
【図２】
0006957644.tif 000003
【図３】
0006957644.tif 000004
【図４】
0006957644.tif 000005
【図５】
0006957644.tif 000006
【図６】
0006957644.tif 000007
【図７】
0006957644.tif 000008
【図８】
0006957644.tif 000009